(57)【特許請求の範囲】
【請求項１】
直方体形状で前面に前面パネルを備えた本体ユニットと、前記本体ユニットの側面と隙間を設けて取り付けられ、前記本体ユニットの側面に交差する仮想の回転軸回りで上下方向に回動可能なファンユニットとからなる空気調和機であって、
前記ファンユニットは前面に補助吹出口を備え、同補助吹出口には上下が軸支され左右に回動する風向装置を備え、同風向装置は板状に形成され前記補助吹出口を覆うとともに前記本体ユニット側に延出し前記前面パネルと重なり合う第１風向板を備え、前記前面パネルに着脱可能に取り付けられる吸込グリルは、左右の幅を前記前面パネルよりも狭く形成し、前記前面パネルは、前記第１風向板と前記吸込グリルの合わせ目にできる隙間を塞ぐ突出部を設けることを特徴とする空気調和機。
【発明の詳細な説明】
【技術分野】
【０００１】
本発明は、空気調和機の構造に関するものである。
【背景技術】
【０００２】
特許文献１に示す空気調和機は、横長の直方体形状をした本体ユニットと、同本体ユニットの左右両側に設けた１対のファンユニットとからなり、本体ユニットは空調室の室内空気を吸い込み冷媒と熱交換をして冷気または暖気にして空調室に吹き出し、ファンユニットは室内空気を吸い込んで当該室内空気を空調室に吹き出す。
【０００３】
本体ユニットの外郭は、前面側と天面を覆うメインフレームと、メインフレームの前面に覆い被さる前面パネルと、前面パネル前面を覆う着脱自在で表面が平らな吸込グリルと、ファンユニットを収容する側面カバーとからなる。（特許文献１参照）
【０００４】
昨今の空気調和機は、設置する空調室のインテリアに調和するデザインが好まれているため、本体色には、室内の壁紙に多く使われている白色やベージュ色などの明度の高い色が採用されていることが多い。
【０００５】
しかし、特許文献１は、ファンユニットが回動する際に本体ユニットとの接触を避けるためにファンユニットと本体ユニットの間に隙間が設けられている。この隙間が空気調和機を見たユーザーには明度の高い本体色の中に暗色の線を設けた様に見え、本体ユニットとファンユニットを別物と認識させてしまい、空気調和機の意匠性が損なわれた印象を与えている。
【先行技術文献】
【特許文献】
【０００６】
【特許文献１】特開２０１４−１４２０９５号公報
【発明の概要】
【発明が解決しようとする課題】
【０００７】
本発明の課題は、回動するファンユニットを有する空気調和機において、ファンユニットと、ファンユニットを取り付ける本体ユニットとの間の隙間を隠すことで意匠性を向上させた空気調和機を提供するものである。
【課題を解決するための手段】
【０００８】
本発明は、直方体形状で前面に前面パネルを備えた本体ユニットと、前記本体ユニットの側面と隙間を設けて取り付けられ、前記本体ユニットの側面に交差する仮想の回転軸回りで上下方向に回動可能なファンユニットとからなる空気調和機であって、前記ファンユニットは前面に補助吹出口を備え、同補助吹出口には上下が軸支され左右に回動する風向装置を備え、同風向装置は板状に形成され前記補助吹出口を覆うとともに前記本体ユニット側に延出し前記前面パネルと重なり合う第１風向板を備え、前記前面パネルに着脱可能に取り付けられる吸込グリルは、左右の幅を前記前面パネルよりも狭く形成し、前記前面パネルは、前記第１風向板と前記吸込グリルの合わせ目にできる隙間を塞ぐ突出部を設けることを特徴とする。
【発明の効果】
【００１０】
以上のように、回動するファンユニットを有する空気調和機において、ファンユニットは、補助吹出口を覆うとともに本体ユニット側に延出し前面パネルと重なり合う第１風向板を備えることで、ファンユニットと、ファンユニットを取り付ける本体ユニットとの隙間を隠し、美観に優れ意匠性を向上させた空気調和機となる。
【図面の簡単な説明】
【００１１】
【図１】本発明の空気調和機の室内機の運転停止状態の斜視図である。
【図２】本発明の空気調和機の室内機の中央部の垂直断面図である。
【図３】本発明の空気調和機の室内機の運転停止状態の正面図である。
【図４】本発明の空気調和機の室内機の運転状態の斜視図である。
【図５】本発明の空気調和機の運転停止状態の右側面図である。
【図６】図３のＡ−Ａ断面の部分拡大図である。
【図７】図６の風向装置を回動した状態を示す部分拡大図である。
【図８】本発明の風向装置を背面から見た斜視図である。
【図９】（ａ）は冷房運転時に気流の一具体例を示す概念図で、（ｂ）は暖房運転時に気流の一具体例を示す概念図である。
【図１０】ファンユニットを手動で回動させた状態を示す部分拡大斜視図である。
【図１１】図１０のファンユニットをさらに手動で回動させた状態を示す部分拡大斜視図である。
【図１２】本発明の空気調和機の室内機の吸込グリルを開けた状態を示す斜視図である。
【発明を実施するための形態】
【００１２】
以下、本発明を実施するための形態を、添付図面に基づいた実施例として詳細に説明するが、本発明はこれに限定されるものではない。
【００１３】
本発明の空気調和機１は屋外に設置される室外機（図示なし）と空調室Ｒの天井近くの壁面に取り付けられる室内機１１とからなり、室外機と室内機１１がガス管と液管（いずれも図示なし）で接続されて冷媒回路を形成する。
【００１４】
室内機１１の運転停止時における図１の斜視図と図２の断面図と図３の正面図に示すように室内機１１は本体ユニット１２と本体ユニット１２の左右両側に設けた１対のファンユニット３０、３１とからなる。また、ファンユニット３０、３１はファンユニット３０、３１のどちらか一方だけでも良い。本体ユニット１２は空調室Ｒの室内空気を吸い込み冷媒と熱交換をして冷気または暖気にして空調室Ｒに吹き出し、ファンユニット３０、３１は室内空気を吸い込んで当該室内空気を空調室Ｒに吹き出す。
【００１５】
本体ユニット１２は横長の直方体形状であり、内部に本体ユニット１２の長手方向と平行にクロスフローファンタイプの第１送風ファン１３と第１送風ファン１３の周囲を囲む熱交換器１４を備える。第１送風ファン１３は本体ユニット１２の片側で第１ファンモータ（図示なし）に軸支される。第１ファンモータと熱交換器１４は、ケーシング１５に支えられ、ケーシング１５は後述する吸込口１６と吹出口１７を結ぶ送風路１８を形成する。
【００１６】
本体ユニット１２の外郭は、熱交換器１４の前面側と天面を覆うメインフレーム１９と、送風路１８の出口である吹出口１７に取り付けられ運転停止時は吹出口１７を塞ぐ上風向板２０ａと下風向板２０ｂからなる風向板２０と、下風向板２０ｂよりも下方でケーシング１５を塞ぐ底板２１と、メインフレーム１９の前面を覆う前面パネル２２と、前面パネル２２の前面に着脱可能に取り付けられ表面が平らな吸込グリル２３を備える。また本体ユニット１２の左右側面には、ファンユニット３０、３１を収容する側面カバー４０、４１を備える。
【００１７】
メインフレーム１９の天面と前面パネル２２の上端には吸込口１６が設けられている。また、メインフレーム１９と前面パネル２２の内側で、メインフレーム１９と前面パネル２２と熱交換器１４との間にはフィルタ２４と、このフィルタ２４を自動で清掃するフィルタ清掃ユニット２５が設けられている。
【００１８】
尚、図１において室内機１１の吸込グリル２３のある面を前面とし、前面の対面を背面とし、図面上でファンユニット３０のある側を右側面とし、ファンユニット３１のある側を左側面とし、図面上で底板２１のある面を底面とし、その対面を天面とし、図２において高さＨが示す底面から天面に向かう上下方向を高さとし、奥行きＤが示す前面から背面に向かう前後方向を奥行きとして以下説明する。
【００１９】
図２において本体ユニット１２は高さＨよりも奥行きＤの寸法が長く、背面側から前方の吸込グリル２３に向かい徐々に高さが細くなってゆく略台形形状をなす。本体ユニット１２は第１ファンモータの回動により第１送風ファン１３が回転することで吸込口１６から取り入れられた室内空気を、熱交換器１４で冷媒と熱交換して冷気または暖気にして送風路１８を通過して吹出口１７から上風向板２０ａと下風向板２０ｂで風向調整をして空調室Ｒに吹き出す。
【００２０】
側面カバーには本体ユニット１２の右側面となりファンユニット３０を収容する側面カバー４０と、本体ユニット２の左側面となりファンユニット３１を収容する側面カバー４１があり、側面カバー４０、４１は対称形であるため、ここでは側面カバー４０について説明する。尚、同様にファンユニット３０、３１も対称形であるため、ここではファンユニット３０について説明する。
【００２１】
室内機１１の運転時の斜視図である図４に示すように側面カバー４０は、前面パネル２２の側壁面２２ａの端に取り付けられ側壁面２２ａと同一面を形成する壁面部４０ａと、壁面部４０ａより外側に延出してファンユニット３０の背面側を収容する背面部４０ｂと、底面において風向板２０と底板２１と同一面になる底面部４０ｃとを備える。
【００２２】
ファンユニット３０は側面カバー４０の壁面部４０ａに対して回動自在に支持される。ここではファンユニット３０は壁面部４０ａに交差し、ファンユニット３０を回動させる図示しないファンユニットモータの駆動軸線上に合わせた仮想の回転軸回りを上下方向に水平状態から下方へ回動可能となる。本実施例においてファンユニット３０の仮想の回転軸は水平軸線３２とする。
【００２３】
図１と図５と図６に示すファンユニット３０の外郭は、室内機１１の運転停止状態の時に本体ユニット２と一体に見えるように天面および底面を本体ユニット２と同一面となる位置に配置し、背面側が側面視で半円形となったファンケース３３でなる。ファンケース３３は、前面パネル２２側を形成する第１ファンケース３４と、第１ファンケース３４に被さりファンケース３３の空調室Ｒ側を形成する第２ファンケース３５とからなる。第２ファンケース３５の側面には均等に丸孔を抜き加工した板金で形成された補助吸込口３６を備える。またファンケース３３の前面側には補助吹出口３７を有する。補助吹出口３７は、高さを吸込グリル２３の高さに揃えた短冊状に開口されている。
【００２４】
ファンユニット３０が回動する時に本体ユニット１２との接触を避けるため第１ファンケース３４と、本体ユニット１２の側面を構成する前面パネル２２の側壁面２２ａおよび側面カバー４０の壁面部４０ａとの間に隙間Ｓ１が設けられている。
【００２５】
ファンユニット３０の内部は、図示しないシロッコファンタイプの第２送風ファンと、第２送風ファンを回転させる第２ファンモータを備え、第２送風ファンから吹き出された空気を補助吹出口３７に導く送風路３９ａを形成するファンケーシング３９を備える。第２送風ファンは第２ファンモータの駆動により室内空気を補助吸込口３６から吸い込み送風路３９ａを通過して補助吹出口３７から吹き出す。
【００２６】
また、ファンユニット３０を駆動する図示しないファンユニットモータも内部に備え、ファンユニットモータによりファンユニット３０は図４に示すように、水平線軸３２の周りを上下方向に最大６０度まで回動することができる。
【００２７】
図１に示すように本体ユニット１２の吸込グリル２３は前面から左右側面方向に掛けて背面に向かって徐々に傾斜する緩やかな傾斜面２３ａを備える。そしてファンケース３３の前面側も傾斜面２３ａに合わせて傾斜する。図７を参照して補助吹出口３７において第１ファンケース３４側よりも第２ファンケース３５側が背面側に奥まっている。
【００２８】
補助吹出口３７に位置する第１ファンケース３４の端面３４ａは、図４を参照して後述する風向装置５０が左右に回動する際に接触しないように切り欠いた切欠部３４ｂを備える。また第２ファンケース３５の端面３５ａは、風向装置５０が左右に回動する際に接触しないように内側に向かって傾斜する傾斜面３５ｂを有する。
【００２９】
補助吹出口３７には上下が補助吹出口３７に軸支され運転時には左右に回動する風向装置５０を備える。風向装置５０は、図６から図８に示すように１枚の板状で補助吹出口３７を覆うとともに本体ユニット１２側に延出し前面パネル２２と重なり合う第１風向板５１を備える。第１風向板５１は補助吹出口３７よりも前方に位置し、図１と図３に示すように吸込グリル２３の傾斜面２３ａに合わせ緩やかに湾曲し、吸込グリル２３と同じ高さを有することで吸込グリル２３と連続した面と見えるような意匠となっている。
【００３０】
第１風向板５１の背面側には、第１風向板５１と平行で同じ高さがあり幅が第１風向板５１よりも短い第２風向板５２を備える。第１風向板５１と第２風向板５２は下端の軸板５３で繋がれる。軸板５３には下方へ延出する軸５４を備える。
【００３１】
また第１風向板５１と第２風向板５２の中央を繋ぐ水平な板状の支持板５５を有する。支持板５５は第２風向板５２よりも背面側に膨らむ円弧５５ａを備え円弧５５ａの端と第１風向板５１の背面側で補助吹出口３７に合わせた幅で結んだ山形状であり、ファンユニット３０から吹き出された空気を上下に吹き分ける風向板の役割も有する。
【００３２】
第２風向板の上端には風向装置５０のモータ（図示しない）を収納するモータ収納部５６を有する。風向装置５０はファンケース３３にモータに備えられたモータ軸と軸５４で補助吹出口３７に上下を軸支される。そしてモータの駆動により軸５４を回転軸として図６の運転停止状態から、図７の運転状態まで、第１風向板５１の先端部５１ａが本体ユニット１２側から空調室Ｒ側である外側に向かって回動する。１枚の板状で大型の第１風向板５１で制御されて吹き出された空気は、空調室Ｒに向かって吹き出される。
【００３３】
図６に示す第１風向板５１は、補助吹出口３７を覆うとともに隙間Ｓ１を覆い、さらに本体ユニット１２側に延出して本体ユニット１２の前面パネル２２まで重なり合っている。これにより隙間Ｓ１は空調室Ｒのユーザーの視線Ｎ１から隠される。
【００３４】
さらに図３を合わせて参照して本体ユニット１２の吸込グリル２３はファンユニット３０の第１風向板５１が前面パネル２２に重なったときに第１風向板５１と当たらないように左右の幅Ｗ１を前面パネル２２の左右の幅Ｗ２よりも狭く形成している。
【００３５】
また第１風向板５１と吸込グリル２３の合わせ目にできる隙間Ｓ２を塞ぐために、前面パネル２２は側壁面２２ａが前方に突出した突出部２２ｂを設ける。突出部２２ｂは隙間Ｓ２よりも広い幅Ｗ３を備えることで、隙間Ｓ２が目立たなくなり、本体ユニット１２の吸込グリル２３とファンユニット３０の第１風向板５１が連続した平面に見える。
【００３６】
また突出部２２ｂは、運転から運転停止に至る際に第１風向板５１の先端部５１ａを突出部２２ｂに当てることで、第１風向板５１の回動を抑制する役割も持つ。
【００３７】
風向装置５０を補助吹出口３７に軸支した際に、第１風向板５１は第２ファンケース３５よりも前方に配置される。そして第１風向板５１は先端部５１ａの反対側の第２ファンケース３５側の端部５１ｂが補助吹出口３７の内部に移動するように回動する。第２ファンケース３５には第１風向板５１の回動の軌跡に合わせて接触を防ぐために内側に向かって傾斜する傾斜面３５ｂを設けている。そのため図６のユーザーの視線Ｎ２のように風向装置５０が補助吹出口３７を閉じたときに側方からファンユニット３０を見ると第１風向板５１と第２ファンケース３５の間に隙間Ｓ３ができ、補助吹出口３７の内部が視認される。
【００３８】
そこで、第２風向板５２は、第１風向板と平行で、かつ補助吹出口３７の内部に配置される。そして、第２風向板５２の第２ファンケース３５寄りの先端部５２ａは第２ファンケース３５の傾斜面３５ｂを延長させた仮想線３５ｃ上に位置させる。もしくは仮想線３５ｃ上よりも第２ファンケース３５寄りに位置させる。これにより第２風向板５２が目隠しとなってファンユニット３０の内側から隙間Ｓ３が遮られるため補助吹出口３７の内部は視認されない。
【００３９】
室内機１１の運転時に風向装置５０は、図７に示すように軸５４を回転軸として回動する。例えば空気を正面方向に吹き出す場合には第１風向板がファンケース３３と平行となる位置まで回動させる。この時、第２風向板５２は第１風向板５１と平行であることで空気を正面方向に導くとともに、正面からのユーザーの視線Ｎ３に対して補助吹出口３７の内部を隠す役割も担い、運転時も補助吹出口３７の内部を見られることはない。
【００４０】
次にファンユニット３０、３１の効果を説明する。室内機１１が運転を開始すると、図４に示すように、上風向板２０ａと下風向板２０ｂが回動し、吸込口１６から吸い込んで冷媒と熱交換して冷気または暖気となった空気を空調室Ｒに吹き出すとともに、ファンユニット３０、３１が水平線軸３２回りで回動する。その際に補助吹出口３７も上下に変位して補助吹出口３７から吹き出される気流の向きは変更されることができる。補助吹出口３７の風向装置５０はモータで変位して補助吹出口３７から吹出される気流の向きを、水平方向に偏向させることができる。
【００４１】
たとえば冷房運転が設定されると、図９（ａ）に示すように本体ユニット１２から熱交換されて風向板２０で水平方向に吹き出された冷気ＣＡは、室内空気よりも重いため徐々に下降する。その場合にファンユニット３０、３１を吹出口１７よりも下方に向けて補助吸込口３６から空気を吸い込み、補助吹出口３７から下方に向けて吹き出す。補助吹出口３７から吹き出された空気Ａ１の流れにより、冷気ＣＡはすぐに下降せずに空調室Ｒに広く吹きわたるとともに、ユーザーＭには直接冷気が当たらないことで心地よい涼感を与えることができる。
【００４２】
また暖房運転が設定されると、図９（ｂ）に示すように本体ユニット１２から熱交換されて風向板２０で下方方向に吹き出された暖気ＷＡは、室内空気よりも軽いため徐々に上昇する。その場合にファンユニット３０、３１を吹出口１７よりも上方に向けて補助吸込口３６から空気を吸い込み、補助吹出口３７から上方に向けて吹き出す。補助吹出口３７から吹き出された空気Ａ２の流れにより、暖気ＷＡはすぐに上昇せずに空調室Ｒに広く吹きわたるとともに、ユーザーＭには足元が温まり心地よい暖感を得ることができる。
【００４３】
空気調和機が運転を停止すると、ファンユニット３０、３１は上方に回動して図１に示す運転停止位置に戻る。そして風向装置５０の第１風向板５１は閉じられる。この状態では本体ユニット１２とファンユニット３０、３１の間の隙間Ｓ１は第１風向板５１で覆われることで視認されない。また補助吹出口３７の隙間Ｓ３も第２風向板５２が目隠しとなってファンユニット３０の内側から塞がれるため視認されない。第１風向板５１は吸込グリル２３と連続した平面と見られることで美観にすぐれた意匠となる。
【００４４】
空気調和機の運転停止状態では、常に図１に示す位置にファンユニット３０、３１はあり第１風向板５１は閉じられている。しかし、室内機１１内部のフィルタ清掃ユニット２５のメンテナンスや室内機１１の清掃などで、人手により第１風向板５１が閉じた状態でもファンユニット３０、３１が動かされることがあり得る。この場合、第１風向板５１の先端部５１ａは本体ユニット１２側に延出していることから、下方に回動した場合に第１風向板５１は本体ユニット１２の吸込グリル２３よりも下部にある前面パネル２２に衝突することで破損する可能性がある。そこで、図１０に示すように本体ユニット１２の吸込グリル２３の下端に接する前面パネル２２には上端が吸込グリル２３と第１風向板５１よりも背面側に位置し、下方に向けて徐々に前面側に傾斜する傾斜面２６が設けられている。
【００４５】
第１風向板５１を閉じたまま、ファンユニット３０を下方に回動しようとすると、第１風向板５１の先端部５１ａの背面側の下端面５１ａ１は、傾斜面２６に沿って徐々に前方に移動する。これにより第１風向板５１が自然と開かれる。そして図１１に示すように少し開かれた第１風向板５１の下端面５１ａ１は、傾斜面２６を乗り越えて下方へ回動する。これにより第１風向板５１の破損を回避することができる。
【００４６】
傾斜面２６は前面パネル２２に設ければよいが、本実施例では前面パネル２２に組み合わされた飾り板２８に設けている。飾り板２８は前面パネル２２の幅Ｗ２に合わせ吸込グリル２３の下部に設けられ、表面に鏡面仕上げが成されたメタリック加工が施されたものである。傾斜面２６をメタリック加工された飾り板２８に設けたことで傾斜面２６が光を反射して室内機１１に高級感をもたらす。そして鏡面仕上げにより第１風向板５１を閉じたままファンユニット３０を下方に回動する場合に、第１風向板５１の先端部５１ａの背面側の下端面５１ａ１が滑らかに前方に移動することができる。
【００４７】
また室内機１１は図１２に示すように吸込グリル２３の下端の底面２３ｂにＬＥＤランプの発光で運転状態を表示する表示部２９を備える。表示部２９は運転ランプは緑、タイマーランプは橙、ハイパワーランプは黄色等、発光される光の色の違いで運転状態を知らせる。そして発光した光がメタリック加工された飾り板２８の傾斜面２６で反射されることで、遠くからでも発光された光の色を視認することができ運転状態を認識することができる。
【００４８】
また、ファンユニット３０、３１にも運転停止時に飾り板２８と揃うように飾り板２８と同じメタリック処理をした飾り板３８を設ける。これにより室内機１１の全幅に飾り板２８、３８が連続して繋がるように見え、室内機１１全体に高級感を与える。
【００４９】
以上のように、回動するファンユニット３０、３１を有する空気調和機１において、ファンユニット３０、３１は、補助吹出口３７を覆うとともに本体ユニット１２側に延出し前面パネル２２と重なり合う第１風向板５１を備えることで、ユーザーの視線Ｎ１からファンユニット３０、３１と、ファンユニット３０、３１を取り付ける本体ユニット１２との隙間Ｓ１を隠し、一体の空気調和機１に見えるようして美観に優れ意匠性を向上させた空気調和機となる。
【符号の説明】
【００５０】
１：空気調和機、１１：室内機、１２：本体ユニット、１７：吹出口
２０：風向板、２２：前面パネル、２２ａ：側壁面、２２ｂ：突出部、２３：吸込グリル、２６：傾斜面、２８：飾り板、２９：表示部
３０・３１：ファンユニット、３３：ファンケース、３４：第１ファンケース、３５：第２ファンケース、３６：補助吸込口、３７：補助吹出口、３８：飾り板
４０・４１：側面カバー
５０：風向装置、５１：第１風向板、５１ａ：先端部、５２：第２風向板、５４：軸、５５：支持板
Ｒ：空調室
【図１】
0006507654.tif 000002
【図２】
0006507654.tif 000003
【図３】
0006507654.tif 000004
【図４】
0006507654.tif 000005
【図５】
0006507654.tif 000006
【図６】
0006507654.tif 000007
【図７】
0006507654.tif 000008
【図８】
0006507654.tif 000009
【図９】
0006507654.tif 000010
【図１０】
0006507654.tif 000011
【図１１】
0006507654.tif 000012
【図１２】
0006507654.tif 000013